(57)【要約】【課題】前部車体カバーを縦向き姿勢にするとき、前部車体カバーの損傷や変形を防止しながら縦向きに保管することができる作業車両の車体カバー構造を提供する。【解決手段】操縦部４を備える車体２の前後を、合成樹脂材で形成される前部車体カバー７ａと後部車体カバー７ｂとによって覆うに、上記前部車体カバー７ａに形成される操縦フロア部４ｄの後辺部１５ａと、後部車体カバー７ｂの前辺部１５ｂとを接続させる作業車両の車体カバー構造であって、前部車体カバー７ａに、後辺部１５ａの左右端部に機体内方向きに突出する広幅で、且つ水平状をなす接地片２５を形成した接地部１９を設けると共に、当該左右の接地部１９との間に接地部１９から前方に向けて凸状に形成した後辺部１５ａを設ける構造にした。【選択図】図５
2014124172.tif 000002
【特許請求の範囲】
【請求項１】
操縦部(４)を備える車体(２)の前後を、合成樹脂材で形成される前部車体カバー(７ａ)と後部車体カバー(７ｂ)とによって覆うに、上記前部車体カバー(７ａ)に形成される操縦フロア部(４ｄ)の後辺部(１５ａ)と、後部車体カバー(７ｂ)の前辺部(１５ｂ)とを接続させる作業車両の車体カバー構造において、
前記前部車体カバー(７ａ)に、後辺部(１５ａ)の左右端部に機体内方向きに突出する広幅で、且つ水平状をなす接地片(２５)を形成した接地部(１９)を設けると共に、当該左右の接地部(１９)との間に接地部(１９)から前方に向けて凸状に形成した後辺部(１５ａ)を設けることを特徴とする作業車両の車体カバー構造。
【請求項２】
前記前部車体カバー(７ａ)の外周に形成される周壁(２１)を、同形状によって構成される別の前部車体カバー(７ａ)の表面側から所定深さで嵌合自在とする幅と形状によって形成することにより、左右の接地部(１９)を床面に接地させて縦向き姿勢にした前部車体カバー(７ａ)に対し、上記別の前部車体カバー(７ａ)を周壁(２１)を介して嵌合させて縦向き重ね保管を可能にする請求項１記載の作業車両の車体カバー構造。
【発明の詳細な説明】
【技術分野】
【０００１】
本発明は、田植機や移植機並びにトラクタ等の作業車両の車体カバー構造に関する。
【背景技術】
【０００２】
従来、操縦フロア部を有する前部車体カバーと後部車体カバーとを連接する車体カバーによって、車体の前後を上方から覆うようにした田植機(作業車両) の車体カバー構造は既に公知である（例えば特許文献１参照）。
上記田植機の車体カバー構造における前部車体カバーは、カバー後部を上方に起立させながら平面視で前方に向けて凸状に湾曲させた後辺部を形成し、且つこの後辺部に後部車体カバーの前辺部を嵌合させて接続し車体に組付けている。また上記前部車体カバーは、一般に合成樹脂材によるブロー成形或いは射出形成等の製造手段によって量産されるが、カバー製造工程で製造装置から脱型した前部車体カバーの一時的な保管(ストック)手段は、製造装置近傍の床面に横向き姿勢で平置きした状態で、その上に順次製造される前部車体カバーを積み重ねる平置き重ね保管によって行われる。そして、こののち所定量に重ねられた前部車体カバーは、組立工場に運搬されて組立ラインの近隣において、上記と同様な平置き重ね保管状態でストックされながら逐次車体に組付けられるものである。
【先行技術文献】
【特許文献】
【０００３】
【特許文献１】特開２０１１−１８８８２６号公報
【発明の概要】
【発明が解決しようとする課題】
【０００４】
上記のように特許文献１に示される前部車体カバーが平置き重ね保管されるとき、下方の前部車体カバーは上方に重なるカバー重量を大きく受けるため、カバー変形や強い接当によって損傷を受け易い欠点がある。そのため、この問題を回避するために複数の前部車体カバーを、重ねることなく個々に平置き状態で並べて保管しようとすると、広い保管スペースが必要になる等の課題が生ずる。
そこで、前部車体カバーは後辺部を接地させた状態で前部を上方に持ち上げて起立させた縦向き姿勢にすると、省スペースでの保管をすることができることになる。然しながら、この場合に特許文献１の前部車体カバーは、前方に向け凸状に湾曲させて形成する後辺部の左右端部が先鋭状になっているため、縦向き姿勢にしたとき、左右端部が床面に点又は線状に接地して起立させられることになる。そのため、床面に接当する後辺部の左右端部には、縦向き姿勢でのカバー自重が集中的に加わると共に、床面に接地させる際の接当負荷(衝撃)も大きく受けることになり、カバー接地部の変形や損傷を生ずる等の問題がある。
【課題を解決するための手段】
【０００５】
上記課題を解決するための本発明の作業車両の車体カバー構造は、第１に、操縦部４を備える車体２の前後を、合成樹脂材で形成される前部車体カバー７ａと後部車体カバー７ｂとによって覆うに、上記前部車体カバー７ａに形成される操縦フロア部４ｄの後辺部１５ａと、後部車体カバー７ｂの前辺部１５ｂとを接続させる作業車両の車体カバー構造において、
前記前部車体カバー７ａに、後辺部１５ａの左右端部に機体内方向きに突出する広幅で、且つ水平状をなす接地片２５を形成した接地部１９を設けると共に、当該左右の接地部１９との間に接地部１９から前方に向けて凸状に形成した後辺部１５ａを設けることを特徴としている。
第２に、前記前部車体カバー７ａの外周に形成される周壁２１を、同形状によって構成される別の前部車体カバー７ａの表面側から所定深さで嵌合自在とする幅と形状によって形成することにより、左右の接地部１９を床面に接地させて縦向き姿勢にした前部車体カバー７ａに対し、上記別の前部車体カバー７ａを周壁２１を介して嵌合させて縦向き重ね保管を可能にすることを特徴としている。
【発明の効果】
【０００６】
請求項１の発明によれば、前部車体カバーに、後辺部の左右端部に機体内方向きに突出する広幅で、且つ水平状をなす接地片を形成した接地部を設けると共に、当該左右の接地部との間に接地部から前方に向けて凸状に形成した後辺部を設けることにより、前部車体カバーを縦向き姿勢にしたとき、左右の接地片が床面に広い面積を有して接地するため、安定的に姿勢保持させることができると共に、接地部に自重を応力集中させることなくカバー変形や損傷を防止することができる。また前部車体カバーの縦向き姿勢時に、接地部間の後辺部と床面側の異物との接当を防止して起立させることができるため、前部車体カバーの変形等を防止しながら縦向き姿勢での保管を容易にすることができる。
請求項２の発明によれば、前部車体カバーの外周に形成される周壁を、同形状によって構成される別の前部車体カバーに所定深さで嵌合自在とする幅と形状によって形成し、左右の接地部を床面に接地させて起立した前部車体カバーに対し、別の前部車体カバーを周壁を介して嵌合させながら縦向き重ね保管を可能にしたことにより、左右の接地部を床面に接地し起立させた前部車体カバーに対し、別の前部車体カバーを周壁を操縦フロア部側に順次嵌合させて縦向き重ね保管を簡単に行うことができる。また縦向き姿勢で重ね保管される前部車体カバーは、変形や傷の発生等を防止しながら省スペースでの保管を容易にすることができる。
【図面の簡単な説明】
【０００７】
【図１】田植機の側面図である。
【図２】田植機の平面図である。
【図３】前部車体カバーと後部車体カバーの組付け状態を示す平面図である。
【図４】前部車体カバーの平面図である。
【図５】前部車体カバーの後方斜視図である。
【図６】前部車体カバーの側面図である。
【図７】前部車体カバーの背面図である。
【図８】前部車体カバーの縦向き重ね保管状態を示す側面図である。
【発明を実施するための形態】
【０００８】
本発明の一実施形態を図面に基づいて説明する。図１，図２において符号１は乗用型の田植機であって、前輪１ａと後輪１ｂを左右に有する車体 (走行機体)２の前側にエンジン３ａを搭載してボンネット３で覆い、後方にハンドル４ａと操作パネル部４ｂ及び座席４ｃ並びに操縦フロア部４ｄ等からなる操縦部４を設置し、機体後部に構成される３点リンク方式の昇降機構５に植付作業装置６を装着している。上記車体２は、本発明に係るプラスッチック製の前部車体カバー７ａと後部車体カバー７ｂとからなる車体カバー７によって覆っている。
【０００９】
上記植付作業装置６は、マット苗を左右並列状に載置する苗載台８を前高後低状の傾斜姿勢とし左右に往復移動させながら、植付爪９によって苗載台８のエプロン８ａから苗を掻取り圃場に植付けるようにしている。即ち、植付作業装置６は、横向きの植付部フレーム１１に、植付爪９を回転駆動する植付爪ユニット９ａを有する複数の植付爪伝動ケース１２を所定の間隔を有し取付けており、各植付爪伝動ケース１２の下部には、支持リンク機構を介して橇状のフロート１３を設けている。苗載台８は、後方下方（後端部）を植付部フレーム１１に沿って取付けられるエプロン８ａに載置し、且つ前方上方の正面側をスライド支持部８ｂに載置した状態でスライド自在に支持されている。
【００１０】
そして、裏面側の下部を植付爪伝動ケース１２側に設置される苗載台駆動部１４に連繋させて、苗載台８を横方向に往復駆動自在にしている。この構成において植付作業装置６は、走行機体２の後部からＰＴＯ伝動軸を介して入力軸に伝動入力され、該入力軸から入力変換伝動ケースを介し、各植付爪伝動ケース１２及び苗載台駆動部に入力する。これにより植付作業装置６は、苗載台８を横方向に苗送り往復駆動させながら、植付爪９によって苗載台８のエプロン８ａから苗を掻取り圃場に植付ける。
【００１１】
次に、図１〜図４を参照し車体カバー７のカバー構造について説明する。先ず、車体２の前部側に設置される前部車体カバー７ａは、前部ミッションケース及びフロントアクスルケース並びに左右の前輪１ａを覆うように、車体２及び左右に突出させた複数の車体フレーム２ａにボルト及び取付け金具等を介して組付けられる。また後部車体カバー７ｂは、座席４ｃを支持する座席設置部２ｂ及び後部ミッションケース並びに左右の後輪１ｂの前部上方等を覆うように、上記車体フレーム２ａ及び座席設置部２ｂに組付けて設置される。また両者の組付けに際し、前部車体カバー７ａの後部に形成される後辺部１５ａに、後部車体カバー７ｂの前部に形成される前辺部１５ｂを重ね合せて連接する接続部１５は、操縦フロア部４ｄの後部に位置している。
【００１２】
即ち、前部車体カバー７ａは図２〜図４に示すように平面視形状を、操縦フロア部４ｄを形成する幅と長さを有する平坦板状のフロア面１６と該フロア面１６の前側両側に、前記操作パネル部４ｂとボンネット３に嵌合自在な幅と長さを有して切欠状に開口させた開口部１７を設け、これによって左右の前側ステップ部１８を一体的に構成している。また操縦フロア部４ｄの前記後辺部１５ａは、前側に向けて緩やかな凸状に湾曲させると共に、該後辺部１５ａの左右両端には広幅な接地面を有する接地部１９を設けている。
【００１３】
また前部車体カバー７ａの側面視形状は、上記前側ステップ部１８の前ステップ面１８ａが、操縦フロア部４ｄのフロア面１６より高い位置になるように、両者を緩やかな斜面によって形成される中ステップ面１８ｂで接続している。そして、実施形態における前ステップ面１８ａとフロア面１６の外側端には、オペレータが乗降及び移動する際の滑り止め用の突起部２０を複数突設している。この突起部２０は、前部車体カバー７ａの外周で上下方向の高さを有して形成される周壁２１から、外側に突出しないように設けられている。
【００１４】
また前部車体カバー７ａは、前記操作パネル部４ｂのコラム基部を囲う立壁部１６ａを、操縦フロア部４ｄを形成するフロア面１６の前部と左右の前側ステップ部１８とから、上方に向けて内向きに傾斜する傾斜面を有して形成している。
以上のように構成される前部車体カバー７ａは、操縦フロア部４ｄと左右の周壁２１により下向きのコ字状断面をなしており、且つ前側ステップ部１８は逆Ｌ字状断面をなし、これら裏側面の必要箇所には補強手段としてのリブ２２を付設している。
【００１５】
また上記構成において周壁２１は、外周面の上下幅の中途に段部を設けており、その下部の内幅を上部の外幅よりも広くなるように形成している。これにより図８で後述するように、縦向き姿勢で立設される一方の前部車体カバー７ａに対し、同構造の別の前部車体カバー７ａを縦向き姿勢で側方から周壁２１を介して嵌合させた状態で重ねるようにしている。また両者の嵌合状態では、一方の前部車体カバー７ａの表面側に他方の前部車体カバー７ａに形成されるリブ２２が接当する位置で、それ以上の嵌合を規制して縦向き姿勢での重ね保管(縦向き重ね保管)を行うことができる。
【００１６】
次に、前記突起部２０について図４，図５，図８を参照し説明する。この突起部２０は前部車体カバー７ａの周壁２１に沿って上方にむけ疎間隔に連なるように突出しているため、オペレータの乗降及び移動並びに苗補給時の良好な足掛かりとなって、踏み外しや滑りを防止することができる。そして、図示例の突起部２０は、突起の外側面２０ａを前記周壁２１より内向きに傾斜させて突出することにより、突起部２０の先端を基部側より先鋭状となし、細い先端によって靴の滑り止め作用をより向上させていると共に、前部車体カバー７ａの前記縦向き姿勢での重ね保管を行い易くしている。
【００１７】
即ち、前記したように縦向き姿勢で起立させた前部車体カバー７ａに別の前部車体カバー７ａを側方から嵌めるとき、周壁２１から内向きに傾斜して突出する外側面２０ａが別の前部車体カバー７ａの周壁２１内に接触して適正嵌合を促すガイドになり、両者の嵌合を容易にして縦向き重ね作業及び保管を簡単に行うことができる等の作用がある。尚、前ステップ面１８ａ及び中ステップ面１８ｂ並びにフロア面１６の面上に対する滑り止め手段は、在来のものと同様な凹凸模様或いは滑り防止部材等の付設によって行われる。
【００１８】
次に、前部車体カバー７ａの後辺部１５ａの構造について図４，図５を参照し説明する。平面視で四角形状の操縦フロア部４ｄの後辺部１５ａは、操縦フロア部４ｄと周壁２１の後端部を階段状に屈曲させることにより、板厚と略同じ高さの縦面２３と該縦面２３から後方に向けて接続代を有して延長させた延長面２４とからなり、且つ中央部を前側に向けて凸状に湾曲させた形状にしている。これにより前部車体カバー７ａと後部車体カバー７ｂは、上記延長面２４に対し、前側に向けて凸状に湾曲させた後部車体カバー７ｂの前辺部１５ｂを上方から重ねて連接して接続部１５を構成している。
【００１９】
そして、上記のように接続部１５を構成する後辺部１５ａは、その左右両端に水平方向に所定の接地幅Ｌを有して接地する接地部２０を後述する構成によって設けており、これにより接地部１９は前部車体カバー７ａの左右端部のコーナー部の剛性を高め、後辺部１５ａの損傷を防止しながら前記縦向き重ね保管を安定的に行うことができるようにしている。
即ち、接地部１９は操縦フロア部４ｄの左右コーナー部において、前記接地幅Ｌの範囲で延長面２４の端部から下向き(機体内方向き)に突出させ、且つ周壁２１の端部から内向きに突出させて一体的に形成したリブ状の接地片２５を設けている。
【００２０】
これにより前部車体カバー７ａは縦向き姿勢で起立させるときに、接地部１９の接地片２５が床面に対し広い面積を有して接地する平坦な底面となって、前部車体カバー７ａの自重を応力集中させることなく受けると共に、周壁２１後端の外向き及び内向き方向の変形も防止する。また接地片２５は床面に激しく接当して底面に傷が付いたとしても、延長面２４を保護し損傷を防止するので、後部車体カバー７ｂの組付け連接時に支障を生じさせることがない。また接地片２５に傷が生じたとしても、接地部１９は後部車体カバー７ｂの前辺部１５ｂによって覆われるので外観を損なうことがないものである。
【００２１】
次に、後部車体カバー７ｂについて図１〜図３，図６を参照し説明する。この後部車体カバー７ｂは、前記接続部１５を構成する前辺部１５ｂを有して、座席４ｃと左右の後輪１ｂの前方を覆うように立設されるフロア後方カバー部２６と、該フロア後方カバー部２６の上部から後方に向けて略水平状に延長されて座席設置部２ｂと左右の後輪１ｂの上方を覆う上方カバー部２７とからなる。そして、上方カバー部２７の左右には、オペレータが苗補給時に操縦フロア部４ｄ側から足を載せ掛けて、植付作業装置６の苗載台８に苗補給を容易にする後部ステップ面２９を形成している。
【００２２】
この後部ステップ面２９は、上記フロア後方カバー部２６の左右に位置するフェンダ面２６ａと共に後輪１ｂの前方を覆うフェンダを構成して、泥土の操縦部４側への飛散を阻止する。また上記構成においてフェンダ面２６ａは、側面視で略垂直な角度を有して形成することにより、後部ステップ面２９の前後長さを在来のものより長くしている。これにより後部ステップ面２９は広い面積によって、オペレータの足場の安定性を向上させて苗補給作業を能率よく行うことを可能にする。
【００２３】
以上のように構成される田植機１は、車体２に対し前部車体カバー７ａを、開口部１７を介してボンネット３及び操作パネル部４ｂに嵌挿し位置合せをして組付け、且つ後部車体カバー７ｂを前部車体カバー７ａの後辺部１５ａに前辺部１５ｂを重ねて合致させた状態で、上方カバー部２７を座席設置部２ｂに位置合せをして組付ける。これにより田植機１は、前部車体カバー７ａと後部車体カバー７ｂによって車体２の各部を上方から覆って製作される。
【００２４】
そして、前部車体カバー７ａは、後辺部１５ａを前方に向けて凸状に湾曲させると共に、その左右端部に機体内方向きに突出する広幅で且つ水平状をなす接地片２５を有する接地部１９を設けているため、カバー製造及び組立等の現場において、縦向き姿勢で各接地部１９を床面に接当させて安定よく置くことができる。このとき床面に異物や突起物が存在していても、前方に向けて凸状に湾曲した後辺部１５ａは、左右の接地部１２から凹んだ中高な空間がこれを跨ぐため、異物等に支障されることなく所望の場所に置くことができる。そして、図８に示すように複数の前部車体カバー７ａを縦向き姿勢で纏めて置く場合には、一方の前部車体カバー７ａの表面側に、他方の前部車体カバー７ａの周壁２１を介して裏面側を嵌合させることができるので、両者の接地部１９をそれぞれ床面に接地させた縦向き姿勢で重ね合せた起立状態で並べることができる。
【００２５】
これにより所望数の前部車体カバー７ａは、隣接する各前部車体カバー７ａを向きを揃えて縦向き姿勢で順次嵌合させることにより、床面に沿った縦向き重ね保管を簡単に行うことができる。従って、上記のように縦向き姿勢で保管される前部車体カバー７ａは、従来のもののように床面に横向き姿勢で平置き状態にしないので、省スペースでの保管を容易に行うことができる。さらに、縦向き姿勢で重ね保管される前部車体カバー７ａは、従来の平置き重ね保管されるもののように上方に重なる前部車体カバー７ａの重量を受けないため、カバーの変形等による損傷を防止することができる。
【００２６】
また上記のように保管することができる前部車体カバー７ａは、カバー製造時に製造装置から脱型した直後に、順次縦向き姿勢での重ね保管を速やかに行なうことができる他、縦向き重ね保管される前部車体カバー７ａの損傷を防止しながら梱包及び移動を簡単に行うことができる。また田植機１の組立工場において縦向き重ね保管される前部車体カバー７ａは、腰を大きく曲げることなく手を伸ばすだけで、近隣の保管場所から簡単に持ち上げることができるので、車体２に能率よく組付けることができる。
【００２７】
また前部車体カバー７ａの接地部１９は、後辺部１５ａのコーナー部の後端から内向きに突出する広幅な接地片２５で形成しているため、縦向き姿勢の前部車体カバー７ａを広い面積で接地させて安定よく姿勢保持すると共に、接地時に延長面２４の直接的な損傷や歪みを防止すると共に、周壁２１側の内外方向の変形を確実に防止することができる。そして、前部車体カバー７ａと後部車体カバー７ｂの接続組付けを、上記延長面２４に対し後部車体カバー７ｂの前辺部１５ｂを精度よく合致させて適正に行うことができる。また接地部１９は前部車体カバー７ａのプラスッチック射出成形時或いはブロー成形時に、後辺部１５ａに対する接地片２５を容易に一体化させることができるので、簡単且つ安価に形成することができる等の特長がある。
【符号の説明】
【００２８】
１  田植機
２  車体
４  操縦部
４ｃ  座席
４ｄ  操縦フロア部
６  植付作業装置
７ａ  前部車体カバー
７ｂ  後部車体カバー
１５ａ  後辺部
１５ｂ  前辺部
１９  接地部
２１  周壁
２５  接地片
【図１】
2014124172.tif 000003
【図２】
2014124172.tif 000004
【図３】
2014124172.tif 000005
【図４】
2014124172.tif 000006
【図５】
2014124172.tif 000007
【図６】
2014124172.tif 000008
【図７】
2014124172.tif 000009
【図８】
2014124172.tif 000010